(57)【特許請求の範囲】
【請求項１】
開口部を有する筐体と、
前記開口部を介して表示面が露出するように前記筐体に収容された、タッチパネル機能を有する表示部と、
前記筐体に回動可能に設けられた、少なくとも１つの板状部材と、を備え、
前記板状部材は、前記表示面の少なくとも一部を覆う第１位置と前記少なくとも一部を露出させる第２位置との間で回動可能であり、前記第２位置に位置する前記板状部材を前記筐体に固定するための固定手段を更に備え、
前記固定手段は、前記板状部材が前記第２位置へ向けて回動され前記第２位置に到達したときに前記板状部材を前記筐体に固定し、前記筐体及び前記板状部材の一方に設けられた第１係止部と、前記筐体及び前記板状部材の他方に設けられ、前記板状部材が前記第２位置に位置するときに前記第１係止部と係止する第２係止部と、を含み、前記第２位置に位置する前記板状部材の、前記筐体に対する開き角度が１８０°のとき、前記第１係止部と前記第２係止部とが係止し、
前記第１及び第２係止部の一方は、前記第２位置を決める前記板状部材の最大開き角度を設定し、その設定を変更可能な最大開き角度設定手段を含む表示装置。
【請求項２】
前記少なくとも１つの板状部材は、書込み可能であることを特徴とする請求項１に記載の表示装置。
【請求項３】
前記第１係止部は、磁石を含み、
前記第２係止部は、前記板状部材が前記第２位置に位置するときに前記磁石に接触する磁性部材を含むことを特徴とする請求項１又は２に記載の表示装置。
【請求項４】
前記第１係止部は、面ファスナーのフック面を含み、
前記第２係止部は、前記板状部材が前記第２位置に位置するときに前記フック面に接触する、前記面ファスナーのループ面を含むことを特徴とする請求項１又は２に記載の表示装置。
【請求項５】
前記最大開き角度設定手段は、折り曲げ角度が異なる複数の折り曲げ部を含む部材を有することを特徴とする請求項１〜４のいずれか一項に記載の表示装置。
【請求項６】
前記最大開き角度設定手段は、２つの折り曲げ部を有し、一方の折り曲げ部が一端部分と中間部分とにより形成され、他方の折り曲げ部が他端部と中間部分とにより形成されることを特徴とする請求項５に記載の表示装置。
【請求項７】
前記少なくとも１つの板状部材は、
前記筐体の一側部の周りに回動可能であり、前記第１位置に位置するときに前記表示面の一部を覆う第１の板状部材と、
前記筐体の他側部の周りに回動可能であり、前記第１位置に位置するときに前記表示面の残部を覆う第２の板状部材と、を含むことを特徴とする請求項１〜６のいずれか一項に記載の表示装置。
【請求項８】
前記板状部材は、ホワイトボード又は黒板であることを特徴とする請求項１〜７のいずれか一項に記載の表示装置。
【発明の詳細な説明】
【技術分野】
【０００１】
本発明は、タッチパネル機能を有する表示部を備える表示装置に関する。
【背景技術】
【０００２】
従来、タッチパネル機能を有する表示部を備える表示装置が知られている。
【０００３】
また、特許文献１には、黒板に開閉式カバーを取り付ける技術が開示されている。
【発明の概要】
【発明が解決しようとする課題】
【０００４】
しかしながら、従来の表示装置に開閉式カバーを取り付けても、例えば装置起動時等のタッチパネル機能が動作していないときには書込みを行うことはできない。
【課題を解決するための手段】
【０００５】
本発明は、開口部を有する筐体と、前記開口部を介して表示面が露出するように前記筐体に収容された、タッチパネル機能を有する表示部と、前記筐体に回動可能に設けられた、少なくとも１つの板状部材と、を備え、前記板状部材は、前記表示面の少なくとも一部を覆う第１位置と前記少なくとも一部を露出させる第２位置との間で回動可能であり、前記第２位置に位置する前記板状部材を前記筐体に固定するための固定手段を更に備え、前記固定手段は、前記板状部材が前記第２位置へ向けて回動され前記第２位置に到達したときに前記板状部材を前記筐体に固定し、前記筐体及び前記板状部材の一方に設けられた第１係止部と、前記筐体及び前記板状部材の他方に設けられ、前記板状部材が前記第２位置に位置するときに前記第１係止部と係止する第２係止部と、を含み、前記第２位置に位置する前記板状部材の、前記筐体に対する開き角度が１８０°のとき、前記第１係止部と前記第２係止部とが係止し、前記第１及び第２係止部の一方は、前記第２位置を決める前記板状部材の最大開き角度を設定し、その設定を変更可能な最大開き角度設定手段を含む表示装置である。
【発明の効果】
【０００６】
本発明によれば、タッチパネル機能が動作していないときでも書込みを行うことができる。
【図面の簡単な説明】
【０００７】
【図１】図１（Ａ）及び図１（Ｂ）は、それぞれ一実施形態の表示装置の閉じ形態及び開き形態を斜め前方から見た図である。
【図２】表示装置の開き形態の上面図である。
【図３】図３（Ａ）〜図３（Ｃ）は、最大開き角度が１３５°に設定されているときのホワイトボード部の開閉動作を説明するための図（その１〜その３）である。
【図４】表示装置の開き形態を斜め後方から見た図である。
【図５】図４の矩形枠ｂで囲まれた部分の拡大図である。
【図６】表示装置の配置例（その１）を示す図である。
【図７】表示装置の配置例（その２）を示す図である。
【図８】図８（Ａ）〜図８（Ｃ）は、最大開き角度が１８０°に設定されているときのホワイトボード部の開閉動作を説明するための図（その１〜その３）である。
【図９】ホワイトボード部を閉じ位置で筐体に固定する手段を説明するための図である。
【図１０】ホワイトボード部を開き位置で筐体に固定するために面ファスナーを用いる例を説明するための図である。
【図１１】表示装置が有するタッチパネルを説明するための図（その１）である。
【図１２】タッチパネルの受発光手段の構成を示す図である。
【図１３】タッチパネルを説明するための図（その２）である。
【図１４】ペン形入力装置の構成を説明するための図である。
【図１５】表示装置の主要部を模式的に示す図である。
【図１６】表示装置の制御系の構成を示す図である。
【図１７】制御系のコントローラ及びタッチパネルの構成、機能を示すブロック図である。
【図１８】ペン形入力装置による入力位置の座標を検出する方法を説明するための図である。
【図１９】図１９（Ａ）及び図１９（Ｂ）は、それぞれ３つのペン形入力装置が発光しているときに２つの受発光手段で受光される光量を示す図である。
【図２０】非発光体による入力位置の座標を検出する方法を説明するための図である。
【図２１】４つの受発光手段からの光が非発光体により遮られているときに４つの受発光手段で受光される光量を示す図である。
【図２２】図２２（Ａ）は、変形例１の座標検出装置を説明するための図（その１）であり、図２２（Ｂ）は、１つのペン形入力装置が発光しているときに２つの受発光手段で受光される光量を示す図である。
【図２３】図２３（Ａ）は、変形例１の座標検出装置を説明するための図（その２）であり、図２３（Ｂ）は、２つの受発光手段からの光が１つの非発光体により遮られているときに２つの受発光手段で受光される光量を示す図である。
【図２４】図２４（Ａ）は、変形例２の座標検出装置を説明するための図（その１）であり、図２４（Ｂ）は、２つのペン形入力装置が発光しているときに３つの受発光手段で受光される光量を示す図である。
【図２５】図２５（Ａ）は、変形例２の座標検出装置を説明するための図（その２）であり、図２５（Ｂ）は、３つの受発光手段からの光が２つの非発光体により遮られているときに３つの受発光手段で受光される光量を示す図である。
【図２６】ペン形入力装置による入力と非発光体による入力が同時に行われるときの座標検出方法を説明するための図である。
【発明を実施するための形態】
【０００８】
以下、本発明の一実施形態について図面を参照して説明する。
【０００９】
図１（Ａ）及び図１（Ｂ）は、それぞれ一実施形態の表示装置１の閉じ形態と開き形態を示す斜視図である。
【００１０】
表示装置１は、図１（Ａ）及び図１（Ｂ）に示されるように、ディスプレイ部１０、座標検出装置２４、右側ホワイトボード部２０、左側ホワイトボード部３０、キャスター付きスタンド４０などを備えている。
【００１１】
ディスプレイ部１０は、略矩形の前面に開口部を有する筐体１０ａと、該開口部を介して略矩形の表示面１１が露出するように筐体１０ａに収容されたフラットパネル１０ｂ（例えば液晶パネルやプラズマパネルなど）とを含む。ディスプレイ部１０は、コントローラ６０（図１５〜図１７参照）によって制御される。なお、以下では、表示面１１に向かって右側を「右側」とし、表示面１１に向かって左側を「左側」として説明する。
【００１２】
また、ディスプレイ部１０は、キャスター付きスタンド４０により、表示面１１が鉛直方向に略平行になるように支持されている。
【００１３】
フラットパネル１０ｂは、表示機能を有するのに加えて、座標検出装置２４による検出対象の座標が入力される座標入力領域（タッチパネル領域）が設定されている。
【００１４】
すなわち、フラットパネル１０ｂ及び座標検出装置２４を含んで、タッチパネル機能を有する表示部が構成されている。
【００１５】
座標検出装置２４は、表示面１１に対する指示入力手段による入力位置の座標を検出する。なお、「入力位置」は、発光型もしくは非発型の指示入力手段が表示面１１に接触もしくは近接した位置を意味する。
【００１６】
さらに、専用のペン形入力装置１００の可動ペン先１２０を表示面１１に接触させることにより表示面１１に文字や図形などを書き込むことができる。
【００１７】
ペン形入力装置１００は、可動ペン先１２０が表示面１１に接触されると、筆記検知信号を無線信号（例えば赤外線）として発信する。
【００１８】
コントローラ６０は、ペン形入力装置１００からの筆記検知信号をペン信号受信部２１０（図１６及び図１７参照）を介して受信すると、座標検出装置２４により検出された座標に書き込まれた文字や図形等を表示面１１に表示する。
【００１９】
また、ペン形入力装置１００は、他端の可動ペン尻１３０が表示面１１に接触されると、筆記検知信号とは異なる消去検知信号を無線信号（例えば赤外線）として発信する。
【００２０】
コントローラ６０は、ペン形入力装置１００からの消去検知信号をペン信号受信部２１０（図１６及び図１７参照）を介して受信すると、座標検出装置２４により検出された座標に書き込まれた文字や図形等を表示面１１から消去する。すなわち、消去処理を行う。
【００２１】
この消去処理としては、コントローラ６０により、検出された座標を背景と同じ色（例えば、白色）とする表示処理が行われる。
【００２２】
右側ホワイトボード部２０は、表示面１１の一部（ここでは右半分）を覆う閉じ位置と該一部を露出させる開き位置との間で回動可能に筐体１０ａに設けられている（図２、図４参照）。
【００２３】
詳述すると、右側ホワイトボード部２０は、筐体１０ａの右側部に、表示面１１の縦辺に略平行な軸を持つ上下に並ぶ２つのヒンジ４００Ａ、４００Ｂを介して接続されている。
【００２４】
また、右側ホワイトボード部２０は、開き位置に位置するときに２つの右側固定手段１０００Ａ、１０００Ｂによって筐体１０ａに固定される。右側固定手段１０００Ａ、１０００Ｂは、実質的に同一の構成を有する。
【００２５】
左側ホワイトボード部３０は、表示面１１の残部（ここでは左半分）を覆う閉じ位置と該残部を露出させる開き位置との間で回動可能に筐体１０ａに設けられている（図２、図４参照）。
【００２６】
詳述すると、左側ホワイトボード部３０は、筐体１０ａの左側部に、表示面１１の縦辺に略平行な軸を持つ上下に並ぶ２つのヒンジ５００Ａ、５００Ｂを介して接続されている。
【００２７】
また、左側ホワイトボード部３０は、開き位置に位置するときに２つの左側固定手段２０００Ａ、２０００Ｂによって筐体１０ａに固定される。左側固定手段２０００Ａ、２０００Ｂは、実質的に同一の構成を有する。
【００２８】
表示装置１において、右側及び左側ホワイトボード部２０、３０の筐体１０ａに対する開き角度が略０°の形態が前述した「閉じ形態」（図１（Ａ）参照）であり、開き角度が所定角度θ（例えば１３５°）の形態が前述した「開き形態」（図１（Ｂ）参照）である。なお、９０°＜θ＜２７０°であることが好ましい。
【００２９】
ここで、各ホワイトボード部は、例えばマーカー等の筆記具を用いて両面に書込み可能である。このため、表示装置１が閉じ形態と開き形態のいずれであっても、各ホワイトボード部に書き込みを行うことが可能である。
【００３０】
以上の説明から分かるように、表示装置１は、閉じ形態において「ホワイトボード」として機能し、開き形態において「ホワイトボード付きタッチパネル搭載ディスプレイ」として機能する。
【００３１】
そこで、例えば、表示装置１を起動してから、ディスプレイ部１０に対して書き込み可能（タッチパネル機能が動作可能）になるまでは、各形態において、各ホワイトボード部に書き込みを行うことができる。また、例えば、ディスプレイ部１０のタッチパネル機能に不具合が生じても、各形態において、各ホワイトボード部に対して書込みを行うことができる。要するに、各形態において、タッチパネル機能が動作していないときにも、各ホワイトボード部に対して書込みを行うことができる。
【００３２】
さらに、表示装置１では、上述した固定手段を導入することにより、開き形態におけるホワイトボード部への安定した書込みを実現している。
【００３３】
なお、右側固定手段と左側固定手段は、取付姿勢が異なる点を除いて、同様の構成及び取付構造を有するので、以下では、右側固定手段（代表的に右側固定手段１０００Ａ）及びその取付構造についてのみ、図２の部分拡大図（図２における矩形枠ａで囲まれた部分の模式的な拡大図）である図３（Ｃ）と、図４の部分拡大図（図４における矩形枠ｂで囲まれた部分の拡大図）である図５を用いて詳細に説明する。
【００３４】
ここで、図３（Ｃ）及び図５に示されるように、筐体１０ａの右端部には、支持部材３０００が例えばビス止めにより固定されている。
【００３５】
支持部材３０００の右端面には、ヒンジ４００Ａの一方のヒンジ部材４００Ａ−１と、ヒンジ４００Ｂの一方のヒンジ部材４００Ｂ−１が例えばビス止めにより固定されている。
【００３６】
右側固定手段１０００Ａは、支持部材３０００の右端面に例えばビス止めにより固定された取付金具１０１０と、該取付金具１０１０に台座１０２５（図３（ｃ）では不図示、図５参照）を介して固定された磁石１０２０と、右側ホワイトボード部２０の一側の端面に例えばビス止めにより固定された磁性部材１０３０とを含む。
【００３７】
なお、磁石１０２０は台座１０２５に固定、保持され、台座１０２５が取付金具１０１０に例えばビス止めされている。
【００３８】
磁性部材１０３０の端面には、ヒンジ４００Ａの他方のヒンジ部材４００Ａ−２と、ヒンジ４００Ｂの他方のヒンジ部材４００Ｂ−２が例えばビス止めにより固定されている。なお、図３において、ヒンジ部材４００Ｂ−１、４００Ｂ−２は、それぞれヒンジ部材４００Ａ−１、４００Ａ−２の裏側に隠れている。
【００３９】
ここでは、ヒンジ部材４００Ａ−１とヒンジ部材４００Ａ−２は、鉛直軸周りに相対回動可能に連結されている。また、ヒンジ部材４００Ｂ−１とヒンジ部材４００Ｂ−２は、鉛直軸周りに相対回動可能に連結されている。
【００４０】
結果として、本実施形態では、右側及び左側ホワイトボード部２０、３０は、それぞれ筐体１０ａに対して鉛直軸周りに回動可能となっている。なお、ホワイトボード部の回動軸は、鉛直軸に対して傾斜していても良い。
【００４１】
そこで、閉じ位置に位置する右側ホワイトボード部２０（図３（Ａ）参照）を開き方向に回動させると（図３（Ｂ）参照）、その開き角度が所定角度θ（例えば１３５°）になったとき（図３（Ｃ）参照）、磁性部材１０３０が磁石１０２０に突き当たって回動が阻止されるとともに、磁性部材１０３０が磁石１０２０に引き付けられる。この結果、開き形態において右側ホワイトボード部２０が筐体１０ａに対して固定される。これにより、開き形態における右側ホワイトボード部２０に対する書込み時の押圧の反動が抑制され、右側ホワイトボード部２０の揺れが抑制され、安定した書込みを行うことが可能となる。なお、仮に開き形態において右側ホワイトボード部２０が筐体１０ａに対して固定されない場合には、右側ホワイトボード部２０に対する書込み時の押圧の反動で右側ホワイトボード部２０に特に回動方向の揺れが生じ、安定した書込みを行うことが困難となる。
【００４２】
なお、右側ホワイトボード部２０は、開き角度が所定角度θになったとき、右側固定手段１０００Ａによって回動が阻止され固定されると同時に右側固定手段１０００Ｂによっても回動が阻止され固定される。
【００４３】
このように、右側固定手段１０００Ａ、１０００Ｂのペアは、右側ホワイトボード部２０の最大開き角度を所定角度θ（例えば１３５°）に規定する機能と、右側ホワイトボード部２０を筐体１０ａに固定する機能を併せ持つ。以下では「所定角度θ」を「最大開き角度θ」とも呼ぶ。
【００４４】
また、左側ホワイトボード部３０を開き方向に回動させ、その開き角度が所定角度θ（例えば１３５°）になったときにも、開き形態において左側ホワイトボード部３０が筐体１０ａに対して固定される。これにより、開き形態における左側ホワイトボード部３０に対する書込み時の押圧の反動が抑制され、左側ホワイトボード部３０の揺れが抑制され、安定した書込みを行うことが可能となる。なお、仮に開き形態において、左側ホワイトボード部３０が筐体１０ａに対して固定されない場合には、左側ホワイトボード部３０に対する書込み時の押圧の反動で左側ホワイトボード部３０に特に回動方向の揺れが生じ、安定した書込みを行うことが困難となる。
【００４５】
なお、左側ホワイトボード部３０は、開き角度が所定角度θになったとき、左側固定手段２０００Ａによって回動が阻止され固定されると同時に左側固定手段２０００Ｂによっても回動が阻止され固定される。
【００４６】
このように、左側固定手段２０００Ａ、２０００Ｂのペアは、左側ホワイトボード部３０の最大開き角度を所定角度θ（例えば１３５°）に規定する機能と、左側ホワイトボード部３０を筐体１０ａに固定する機能を併せ持つ。
【００４７】
一方、各ホワイトボード部が２つの固定手段によって開き位置で固定された状態から、該ホワイトボード部に、２つの磁性部材に対する２つの磁石の引力に抗する閉じ方向の外力を作用させることで、該２つの磁性部材を対応する２つの磁石から引き離し該ホワイトボード部を閉じ方向に回動させることができる。
【００４８】
ここで、図６に示されるように、表示装置１が部屋（例えば会議室、教室等）の隅に配置されるような場合には、各ホワイトボード部の最大開き角度θを略１３５°に設定することが好ましい。
【００４９】
一方、図７に示されるように、表示装置１が部屋（例えば会議室、教室等）の一壁に沿って配置されるような場合には、各ホワイトボード部の最大開き角度θを略１８０°に設定することが好ましい。
【００５０】
また、表示装置１は、前述の如くキャスター付きスタンド４０に支持されているため、部屋内での移動や、部屋間での移動が容易である。
【００５１】
そこで、表示装置１では、その配置状況に応じて、各ホワイトボード部の最大開き角度θを変更可能となっている。
【００５２】
すなわち、表示装置１では、支持部材３０００に対する取付金具１０１０の取付姿勢と、取付金具１０１０に対する磁石１０２０の取付位置を変えることにより、開き形態を規定する（決める）最大開き角度θを変更可能となっている。
【００５３】
具体的には、２つの最大開き角度θを例えば１３５°と例えば１８０°のいずれかに選択的に設定できるよう取付金具１０１０の形状に工夫が凝らされている。
【００５４】
詳述すると、取付金具１０１０は、金属製又は合金製の平板状の基材をその表面内の平行な２つの直線に沿って異なる折り曲げ角度で折り曲げた形状（２つの折り曲げ部を含む形状）を有している（図３及び図５参照）。すなわち、取付金具１０１０では、２つの折り曲げ部の一方の折り曲げ部が一端部分１０１０ａと中間部分１０１０ｂにより形成され、他方の折り曲げ部が中間部分１０１０ｂと他端部分１０１０ｃにより形成されている。なお、図３では、２つの折り曲げ部は、折り曲げ方向が異なっているが、同じであっても良い。
【００５５】
取付金具１０１０の一方の折り曲げ部を形成する一端部分１０１０ａと中間部分１０１０ｂは１３５°の角度を成しており、他方の折り曲げ部を形成する中間部分１０１０ｂと他端部分１０１０ｃは９０°の角度を成している。
【００５６】
そして、最大開き角度θを１３５°に設定する場合には、図３に示されるように、磁石１０２０が取り付けられた台座１０２５（図３では不図示、図５参照）を一端部分１０１０ａにビス止めし、かつ中間部分１０１０ｂを支持部材３０００にビス止めする。
【００５７】
一方、最大開き角度θを１８０°に設定する場合には、図８に示されるように、磁石１０２０が取り付けられた台座１０２５（図８では不図示、図５参照）を他端部分１０１０ｃにビス止めにより磁石１０２０を固定し、かつ中間部分１０１０ｂを支持部材３０００にビス止めにより固定する。
【００５８】
この場合に、閉じ位置に位置する右側ホワイトボード部２０（図８（Ａ）参照）を開き方向に回動させると（図８（Ｂ）参照）、その開き角度が所定角度θ（例えば１８０°）になったとき（開き形態になったとき、図８（Ｃ）参照）、磁性部材１０３０が磁石１０２０に突き当たって回動が阻止されるとともに、磁性部材１０３０が磁石１０２０に引き付けられる。この結果、開き形態において右側ホワイトボード部２０が筐体１０ａに対して固定される。これにより、開き形態における右側ホワイトボード部２０に対する書込み時の押圧の反動が抑制され、右側ホワイトボード部２０の揺れが抑制され、安定した書込みが可能となる。なお、仮に開き形態において、右側ホワイトボード部２０が筐体１０ａに対して固定されない場合には、書込み時に右側ホワイトボード部２０に特に回動方向の揺れが生じ、安定した書込みを行うことが困難となる。
【００５９】
また、左側ホワイトボード部２０を開き方向に回動させ、その開き角度が所定角度θ（例えば１８０°）になったとき（開き形態になったとき）にも、左側ホワイトボード部３０が筐体１０ａに対して固定される。これにより、開き形態における左側ホワイトボード部３０に対する書込み時の押圧の反動が抑制され、左側ホワイトボード部３０の揺れが抑制され、安定した書込みを行うことが可能となる。なお、仮に開き形態において、左側ホワイトボード部３０が筐体１０ａに対して固定されない場合には、書込み時に左側ホワイトボード部３０に特に回動方向の揺れが生じ、安定した書込みを行うことが困難となる。
【００６０】
以上の説明から分かるように、取付金具１０１０は、２つの開き形態をそれぞれ規定する２つの最大開き角度θのいずれかを選択的に設定する最大開き角度設定部材として機能する。
【００６１】
なお、取付金具１０１０の着脱や、取付金具１０１０に対する磁石１０２０の着脱は、ドライバーを用いたビス穴に対するビスの着脱により、容易に行うことができる。
【００６２】
また、取付金具は、必ずしも折り曲げることにより作製される必要はなく、例えば、金属製又は合金製の平板状の複数の基材を溶接等により接合して作製しても良い。
【００６３】
また、取付金具の折り曲げ部の数を３つ以上にすることにより、３つ以上の開き形態に対応することも可能である。
【００６４】
また、磁石１０２０は、取付金具１０１０に代えて、直接又は間接的にホワイトボード部に取り付けられても良い。この場合、取付金具１０１０には、最大開き角度設定部材としての機能に加えて、磁性体としての機能が要求される。すなわち、取付金具１０１０の材料には、磁性体を用いる必要がある。この磁性体として極力剛性が高いものが好ましい。
【００６５】
磁石１０２０をホワイトボード部に直接又は間接的に取り付ける場合、図３や図８から分かるように、ホワイトボード部の最大開き角度を変更する際、取付金具１０１０の取付姿勢を変更するだけ良く、ホワイトボード部に対する磁石１０２０の取付位置を変更する必要がない。このため、最大開き角度θの変更作業が容易となる。
【００６６】
図９に示されるように、筐体１０ａの開口部の縁の上部及び下部の中央より右側の部位には、右側ホワイトボード部２０の上角部及び下角部にそれぞれ取り付けられた磁性部材４０００Ａ、４０００Ｂに対応する位置にそれぞれ磁石５０００Ａ、５０００Ｂが取り付けられており、右側ホワイトボード部２０が閉じ位置に位置するときに２つの磁性部材４０００Ａ、４０００Ｂが対応する２つの磁石５０００Ａ、５０００Ｂに接触し引き付けられ、右側ホワイトボード部２０が閉じ位置で固定される。逆に、閉じ位置に位置する右側ホワイトボード部２０に２つの磁石５０００Ａ、５０００Ｂの引力に抗する開き方向の外力を作用させることで、右側ホワイトボード部２０を開き方向に回動させることができる。
【００６７】
また、筐体１０ａの開口部の縁の上部及び下部の中央より左側の部位には、左側ホワイトボード部３０の上角部及び下角部にそれぞれ取り付けられた磁性部材６０００Ａ、６０００Ｂに対応する位置にそれぞれ磁石７０００Ａ、７０００Ｂが取り付けられており、左側ホワイトボード部３０が閉じ位置に位置するときに２つの磁性部材６０００Ａ、６０００Ｂが対応する２つの磁石７０００Ａ、７０００Ｂに接触し引き付けられ、左側ホワイトボード部３０が閉じ位置で固定される。逆に、閉じ位置に位置する左側ホワイトボード部３０に２つの磁石７０００Ａ、７０００Ｂの引力に抗する開き方向の外力を作用させることで、左側ホワイトボード部３０を開き方向に回動させることができる。なお、上記とは逆に、筐体１０ａに磁性部材を取り付け、かつホワイトボード部に磁石を取り付けても良い。
【００６８】
なお、各ホワイトボード部を開き位置や閉じ位置において筐体１０ａに固定する手段は、上述したような磁石と磁性部材を含む手段に限られず、要は、各ホワイトボード部が開き位置や閉じ位置に位置するときに該ホワイトボード部を筐体１０ａに固定する手段であれば良い。
【００６９】
例えば、上記固定する手段として、図１０に示されるように、フック面とループ面を有する面ファスナー（いわゆるマジックテープ（登録商標））を用いても良い。
【００７０】
具体的には、面ファスナーのフック面及びループ面の一方の面を取付金具１０１０に固定し、他方の面をホワイトボード部の端面に取り付けても良い。
【００７１】
以上、右側及び左側ホワイトボード部２０、３０がいずれも閉じ位置に位置する閉じ形態と、右側及び左側ホワイトボード部２０、３０がいずれも開き位置に位置する開き形態で表示装置１を使用する場合について説明したが、例えば表示面１１を使用しない場合や、表示面１１の右半分又は左半分のみを使用するような場合には、右側及び左側ホワイトボード部２０、３０の一方が閉じ位置に位置し他方が開き位置に位置する半閉じ形態（半開き形態）で表示装置１を使用することも可能である。但し、表示装置１が左右対称となる閉じ形態又は開き形態で用いる方が装置のバランスの観点から好ましい。
【００７２】
図１１には、座標検出装置２４の概略的構成が示されている。
【００７３】
座標検出装置２４は、図１１に示されるように、表示面１１の４つの角部近傍にそれぞれ配置された４つの受発光手段３００、３０１、３０２、３０３、及び各受発光手段を制御する制御部４００（図１１では不図示、図１７参照）を含んで構成される。ここでは、各受発光手段は、実質的に同一の構成を有しているが、互いに異なる構成とすることも可能である。
【００７４】
各受発光手段は、図１２に示されるように、赤外線を出射する発光部２５５と、該発光部２５５からの光の光路上に配置され該光を表示面１１に沿って扇形状に広がりながら進行する光として出射する光学系（不図示）と、赤外線を受光する受光部２５４とを含む。各発光部としては、例えばＬＤ（レーザダイオード）、ＶＣＳＥＬ（面発光レーザ）、ＬＥＤ（発光ダイオード）等が挙げられる。
【００７５】
図１１に戻り、表示面１１の四辺には、それぞれ再帰性反射部材３２０、３３０、３４０、３４５が再帰反射面を表示面１１の中央に向けて設置されている。再帰性反射部材は、入射した光を、入射角度によらずに同じ方向に反射する特性をもった部材である。
【００７６】
表示面１１の左上の角部近傍に配置された受発光手段３００は、表示面１１に沿って赤外線を照射可能であり、その照射範囲は右側の再帰性反射部材３３０及び下側の再帰性反射部材３４０の全域である。
【００７７】
また、表示面１１の右上の角部近傍に配置された受発光手段３０１は、表示面１１に沿って赤外線を照射可能であり、その照射範囲は左側の再帰性反射部材３２０及び下側の再帰性反射部材３４０の全域である。
【００７８】
また、表示面１１の左下の角部近傍に配置された受発光手段３０２は、表示面１１に沿って赤外線を照射可能であり、その照射範囲は右側の再帰性反射部材３３０及び上側の再帰性反射部材３４５の全域である。
【００７９】
また、表示面１１の右下の角部近傍に配置された受発光手段３０３は、表示面１１に沿って赤外線を照射可能であり、その照射範囲は左側の再帰性反射部材３２０及び上側の再帰性反射部材３４５の全域である。
【００８０】
制御部４００は、４つの受発光手段３００、３０１、３０２、３０３の発光部を制御し、少なくとも２つの受発光手段の受光部の出力（出力信号）に基づいて指示入力手段（ペン形入力装置や非発光体）による入力位置の座標を求める。制御部４００は、例えばＣＰＵ、チップセットを含んで構成される。
【００８１】
表示面１１に何も接触もしくは近接していない場合、受発光手段３００、３０１、３０２、３０３の発光部から照射された赤外線は、再帰性反射部材３２０、３３０、３４０、３４５で反射され、それぞれの反射光が受発光手段３００、３０１、３０２、３０３の受光部で受光される。
【００８２】
ここで、図１３に示されるように、例えば手指、指示棒等の非発光体２００が表示面１１に接触もしくは近接された場合、受発光手段３００、３０１、３０２、３０３から照射された赤外線の一部が接触箇所もしくは近接箇所で遮断される。
【００８３】
そこで、表示面１１の外縁に沿って隣り合う２つの受発光手段の受光部の出力信号から、該２つの受発光手段それぞれの出射位置と赤外線の一部が遮断された箇所（入力位置）を通る直線の、表示面１１の横辺もしくは縦辺に対する傾斜角度を取得し、該傾斜角度の組み合わせを三角測量の数式でＸＹ座標に変換することで、入力位置の座標を求めることができる。
【００８４】
図１１に戻り、ペン形入力装置１００は、その可動ペン先１２０が表示面１１に接触されると、接触圧による可動ペン先１２０の変位により接触が検知される。接触が検知されると、可動ペン先１２０の先端に搭載された発光素子１０５から赤外線が照射され、その赤外線が受発光手段３００、３０１、３０２、３０３の受光部に入射する。このとき、表示面１１の外縁に沿って隣り合う２つの受発光手段の受光部の出力（受光光量）に基づいて、三角測量の数式で座標を演算子、ＸＹ座標に変換することができ、表示面１１に対するペン形入力装置１００による筆記時の入力位置の座標を求めることができる。
【００８５】
また、ペン形入力装置１００は、その可動ペン尻１３０が表示面１１に接触されると、接触圧による可動ペン尻１３０の変位により接触が検知される。接触が検知されると、可動ペン尻１３０の先端に搭載された発光素子１０５から赤外線が照射され、その赤外線が受発光手段３００、３０１、３０２、３０３の受光部に入射する。このとき、表示面１１の外縁に沿って隣り合う２つの受発光手段の受光部の出力（受光光量）に基づいて、三角測量の数式で座標を演算子、ＸＹ座標に変換することができ、表示面１１に対するペン形入力装置１００による消去時の入力位置の座標を求めることができる。
【００８６】
図１４は、ペン形入力装置１００の縦断面図である。図１４に示されるように、ペン形入力装置１００は、円筒形状のペン本体１１０の一端に筆記ユニット１００Ａが設けられ、ペン本体１１０の他端に消去ユニット１００Ｂが設けられている。筆記ユニット１００Ａは、ペン本体１１０の先端凹部１１２に、可動ペン先１２０と、ペン先検知スイッチ１４０とを有する。また、消去ユニット１００Ｂは、ペン本体１１０の後端凹部１１４に、可動ペン尻１３０と、ペン尻検知スイッチ１５０とを有する。
【００８７】
ペン先検知スイッチ１４０、及びペン尻検知スイッチ１５０は、所謂プッシュスイッチからなり、それぞれ軸方向に突出する可動切片１４２、１５２を有する。可動切片１４２、１５２は、可動ペン先１２０、可動ペン尻１３０と微小な隙間を介して離間している。そのため、可動切片１４２、１５２は、可動ペン先１２０、可動ペン尻１３０が軸方向に所定距離以上（上記微小隙間以上）移動したときに押圧され、スイッチのオフからオンに切り替わる可動範囲（軸方向距離）を移動することで検知信号を出力するように構成されている。
【００８８】
ペン先検知スイッチ１４０、及びペン尻検知スイッチ１５０は、一端が先端凹部１１２、後端凹部１１４の奥部に形成された隔壁１１３、１１５に固定されている。また、ペン先検知スイッチ１４０、及びペン尻検知スイッチ１５０は、他端より突出する可動切片１４２、１５２をオフの位置に押圧するバネ部材が内蔵されている。
【００８９】
ペン形入力装置１００は、ペン本体１１０の内部空間１１６に送信回路ユニット（送信手段）１８０が収納されている。また、送信回路ユニット１８０は、信号入力部１８２と、信号処理部１８４と、検知信号送信部１８６とを有する。
【００９０】
信号入力部１８２は、ペン先検知スイッチ１４０やペン尻検知スイッチ１５０からの検知信号が入力される。信号処理部１８４は、信号入力部１８２を介して入力された検知信号を可動ペン先１２０や可動ペン尻１３０の発光素子１０５の駆動信号に変換して検知信号送信部１８６に送る。検知信号送信部１８６は、駆動信号を発光素子１０５に印加して、該発光素子１０５から無線信号（筆記検知信号や消去検知信号）としての赤外線を発信する。
【００９１】
すなわち、ペン形入力装置１００は、可動ペン先１２０又は可動ペン尻１３０が表示面１１に接触すると、赤外線を放射する。
【００９２】
また、再帰性反射部材３２０、３３０、３４０、３４５の長さを変更することで、サイズの拡張を簡単に行えるため、様々なサイズのフラットパネルに対応可能なだけでなく、プロジェクタなどの投影装置にも対応可能である。
【００９３】
図１５は、表示装置１の主要部を模式的に示す図である。図１６は、表示装置１の制御系の構成を示すブロック図である。ディスプレイ部１０は、図１５及び図１６から分かるように、コントローラ６０により制御され、入力操作される各種画面操作部２６やユーザＰＣ９０から取り込まれた画像を表示面１１に表示する。
【００９４】
また、コントローラ６０は、ＵＳＢ（Ｕｎｉｖｅｒｓａｌ Ｓｅｒｉａｌ Ｂｕｓ）ケーブル７０が接続されるＵＳＢソケット７２、ＶＧＡ（Ｖｉｄｅｏ Ｇｒａｐｈｉｃｓ Ａｒｒａｙ）やＨＤＭＩ（登録商標）（High-Definition Multimedia Interface）、Ｄｉｓｐｌａｙ  Ｐｏｒｔといったケーブル８０が接続される入力ソケット８２を有する。
【００９５】
ユーザＰＣ（Ｐｅｒｓｏｎａｌ Ｃｏｍｐｕｔｅｒ）９０は、ＵＳＢソケット７２及びＶＧＡやＨＤＭＩ（登録商標）、ＤｉｓｐｌａｙＰｏｒｔなどの信号を入力するソケット８２を介してコントローラ６０と接続される。
【００９６】
また、ユーザＰＣ９０は、磁気ディスク装置などからなるストレージ９４（図１６参照）を有する。
ストレージ９４には、各種コンテンツ及びコンテンツ表示用アプリケーションソフトウエアなどのプログラムが格納されている。 
【００９７】
そして、操作者は、ストレージ９４に格納されたコンテンツの中から所望のコンテンツを選択することで、モニタ９２（図１５参照）に当該コンテンツを表示させる。
【００９８】
そこで、コントローラ６０は、ユーザＰＣ９０のモニタ９２に表示された画像データがＵＳＢケーブル７０及びＶＧＡケーブル８０を介して転送されると、ディスプレイ部１０のユーザＰＣ画面２８にモニタ９２に表示された画像データと同じ画像を表示する。
【００９９】
また、コントローラ６０は、光ファイバなどの通信回線２０５及びネットワークソケット２０２を介してインターネット又はＬＡＮ（Ｌｏｃａｌ Ａｒｅａ Ｎｅｔｗｏｒｋ）等のネットワーク２０４にも接続される。
【０１００】
図１７は、表示装置１のコントローラ６０の構成を示すブロック図である。図１７に示されるように、コントローラ６０は、コントローラオペレーティングシステム部２２０と、アプリケーション部２３０と、映像入力デバイス部２４０と、タッチパネルドライバ部２５０とを有する。
【０１０１】
アプリケーション部２３０は、イベント信号判断部２３１と、映像入力処理部２３２と、画像描画処理部２３４と、画面消去処理部２３６と、画面操作処理部２３８とを有する。
【０１０２】
コントローラオペレーティングシステム部２２０は、コントローラ６０で行う制御処理を管理、実行するメイン制御部である。 
【０１０３】
アプリケーション部２３０は、ディスプレイ部１０の表示面１１に表示される画像全体を生成する制御処理、ユーザＰＣ画面２８に表示する制御処理、ペン形入力装置１００の可動ペン先１２０もしくは可動ペン尻１３０が表示面１１に接触し、筆記検知信号もしくは消去検知信号が検知された場合、ならびに表示面１１に対する例えば手指、指示棒等の非発光体による入力（接触もしくは近接）が検知された場合に、筆記された図形や文字などを表示もしくは消去する制御処理を行う。
【０１０４】
イベント信号判断部２３１は、コントローラオペレーティングシステム部２２０から入力されるイベント信号を監視しており、入力されたイベント信号に応じた制御処理を行う。
【０１０５】
映像入力処理部２３２は、ユーザＰＣ９０から入力された画像を表示面１１のユーザＰＣ画面２８に表示するための制御処理を行う。
【０１０６】
画像描画処理部２３４は、イベント信号判断部２３１を介して座標検出装置２４から入力される座標情報に基づいて手書きのグラフィックを生成し、既に表示された画像に手書きのグラフィックを重畳してディスプレイ部１０の表示面１１に表示する。
【０１０７】
画面消去処理部２３６は、イベント信号判断部２３１を介して座標検出装置２４から入力される座標情報に基づいて現在表示されている画像の背景色でグラフィックを生成し、既に表示された画像に背景色のグラフィックを重畳してディスプレイ部１０の表示面１１に表示する。
【０１０８】
これにより、ディスプレイ部１０に表示された手書きグラフィックに背景色のグラフィックが重畳されて見かけ上は、表示面１１から消去される。
【０１０９】
画面操作処理部２３８は、座標検出装置２４から入力される座標情報（座標信号）をマウスイベントなどのポインティングディバイス信号に変換し、ディスプレイ部１０の表示面１１に表示される画面操作部２６のオン・オフ操作による処理を行う。
【０１１０】
また、座標検出装置２４の受発光手段３００、３０１、３０２、３０３により検知されたペン形入力装置１００が接触した位置の座標情報をマウスダウンイベントとして座標値と共にコントローラオペレーティングシステム部２２０に伝送する。
【０１１１】
また、ペン形入力装置１００が座標検出装置２４の表示面１１に接触したまま移動させられた場合、マウスアップイベントとして座標値と共にコントローラオペレーティングシステム部２２０に伝送する。
【０１１２】
タッチパネルドライバ部２５０は、ペン形入力装置１００からペン信号受信部２１０を介して入力された筆記検知信号又は消去検知信号と、座標検出装置２４から入力された座標信号を所定のイベント信号に変換してコントローラオペレーティングシステム部２２０に伝送する。
【０１１３】
図１８は、発光素子がペン本体に搭載されたペン形入力装置１００、１０１、１０２の入力検知ならびに入力位置検出の構成を示した図である。各ペン形入力装置は、実質的に同一の構成を有している。ここでは、４つの受発光手段３００、３０１、３０２、３０３の発光部は消灯している。また、受発光手段３００の出射位置とペン形入力装置１０１、１０２による入力位置が同一直線上にあり、受発光手段３０１の出射位置とペン形入力装置１００、１０２よる入力位置が同一直線上にある。
【０１１４】
各ペン形入力装置の可動ペン先が表示面１１に接触された場合、その発光素子から照射された赤外線が受発光手段３００、３０１、３０２、３０３に入射する。これにより、該ペン形入力装置が表示面１１に接触した位置（入力位置、タッチ位置）での赤外線光量が大きくなり、その位置を推定するための角度を、少なくとも２つの受発光手段の受光部の出力から得ることができる。受光部の出力を「受光光量」とも呼ぶ。
【０１１５】
図１９（Ａ）は、図１８に示されるように配置された３つのペン形入力装置１００、１０１、１０２の発光素子が発光したときに、受発光手段３００、３０１で検知される光量を示した図である。
【０１１６】
図１９（Ａ）から分かるように、各発光素子から赤外線が発せられた際、その位置の光量が突出して大きくなる。これにより、表示面１１に複数のペン形入力装置が接触していることを検知できる。
【０１１７】
ここで、受発光手段３００、３０１の受光部の出力から得られる角度の組み合わせが（θ１１、θ２１）のみであると仮定する。この場合、ペン形入力装置１００の発光素子１０５のみが発光している、すなわちペン形入力装置１００による入力のみがあると推定でき、（θ１１、θ２１）を用いた三角測量により、その入力位置（タッチ位置）の座標（Ｘ１、Ｙ１）を一義的に求めることができる。
【０１１８】
しかし、実際に３つのペン形入力装置１００、１０１、１０２の発光素子が発光している場合、受発光手段３００、３０１の受光部の出力（受光光量）から得られる角度の組み合わせは（θ１１、θ２１）、（θ１１、θ２２）、（θ１２、θ２１）、（θ１２、θ２２）の合計４つあり、これら４つの組み合わせのどの組み合わせで決まる位置でペン形入力装置による入力があるかを正確に推定することは困難である。図１８において、実際には（θ１１、θ２１）、（θ１２、θ２２）、（θ１２、θ２１）でそれぞれ決まる３つの位置に対してペン形入力装置１００、１０１、１０２による入力があるが、例えば（θ１１、θ２２）で決まる位置に対してもペン形入力装置による入力があると誤検知したり、例えば（θ１２、θ２１）で決まる位置に対してはペン形入力装置による入力はないと誤検知するおそれがある。
【０１１９】
すなわち、図１８における３つのペン形入力装置１００、１０１、１０２による入力位置は、２つの受発光手段３００、３０１の受光光量のみからでは、正確に推定できず、誤検知が生じるおそれがある。
【０１２０】
そこで、受発光手段３００、３０１の受光光量に加えて、図１９（Ｂ）に示される２つの受発光手段３０２、３０３の少なくとも一方の受光光量を用いてペン形入力装置による入力位置を推定することが好ましい。
【０１２１】
この場合、受発光手段３００、３０１の受光光量から得られた角度（図１９（Ａ）参照）と、受発光手段３０２、３０３の少なくとも一方の受光光量から得られた角度（図１９（Ｂ）参照）を組み合わせることにより、入力位置を推定するための角度情報を増やすことができるため、複数のペン形入力装置による入力が同時にあった場合でも、それぞれの入力位置を正確に推定し、その座標を求めることができる。
【０１２２】
例えば、３つの受発光手段３００、３０１、３０２から得られる角度の組み合わせ（θ１１、θ２１、θ３１）、（θ１２、θ２２、θ３２）、（θ１２、θ２１、θ３３）から、それぞれに対応する３つの位置での入力を正確に検知でき、さらに２つの受発光手段３００、３０１から得られる角度の組み合わせ（θ１１、θ２１）、（θ１２、θ２２）、（θ１２、θ２１）をそれぞれ用いて三角測量を行うことで、対応する入力位置の座標（Ｘ１、Ｙ１）、（Ｘ２、Ｙ２）、（Ｘ３、Ｙ３）を求めることができる。結果として、３つのペン形入力装置１００、１０１、１０２による入力位置の座標を正確に求めることができる。すなわち、上記のような誤検知を防止できる。
【０１２３】
また、例えば、４つの受発光手段３００、３０１、３０２、３０３から得られる角度の組み合わせ（θ１１、θ２１、θ３１、θ４１）、（θ１２、θ２２、θ３２、θ４２）、（θ１２、θ２１、θ３３、θ４３）から、それぞれに対応する３つの位置での入力を正確に検知でき、さらに２つの受発光手段３００、３０１から得られる角度の組み合わせ（θ１１、θ２１）、（θ１２、θ２２）、（θ１２、θ２１）をそれぞれ用いて三角測量を行うことで、対応する入力位置の座標（Ｘ１、Ｙ１）、（Ｘ２、Ｙ２）、（Ｘ３、Ｙ３）を求めることができる。結果として、３つのペン形入力装置１００、１０１、１０２による入力位置を正確に求めることができる。すなわち、上記のような誤検知をより防止できる。
【０１２４】
なお、４つの受発光手段から得られる角度の組み合わせを用いる場合には、４つのペン形入力装置による入力が同時にあった場合でも、それぞれの入力位置の座標を求めることもできる。
【０１２５】
また、上記２つの例では、２つの受発光手段３００、３０１の受光光量に基づいて三角測量（入力位置の座標の計算）を行うこととしているが、これに代えて、２つの受発光手段３００、３０２の受光光量や、２つの受発光手段３０２、３０３の受光光量や、２つの受発光手段３０３、３０１の受光光量に基づいて三角測量（入力位置の座標の計算）を行うこととしても良い。要は、表示面１１に沿って隣り合う２つの受発光手段の受光光量に基づいて三角測量を行うことが好ましい。
【０１２６】
以上の説明から分かるように、表示面１１の外縁に沿って配置される受発光手段の数が多いほど、より多くのペン形入力装置による入力位置の座標を同時に求めることができる。また、ペン形入力装置の発光素子から発せられる赤外線を、例えば手のひらなどで遮断してしまった場合でも、いずれかの受発光手段から得られる角度を用いて、該ペン形入力装置による入力位置を推定することが可能となる。
【０１２７】
なお、受発光手段を増設する場合は、例えば表示面１１の頂点間の位置近傍に配置しても良い。
【０１２８】
図２０は、例えば手指、指示棒等の非発光体２００の入力検知及び入力位置検出の構成を示した図である。ここでは、４つの受発光手段３００、３０１、３０２、３０３の発光部が点灯している。
【０１２９】
図２１は、受発光手段３００、３０１、３０２、３０３から照射されている赤外線が、指等の非発光体２００によって遮断された場合の、受発光手段３００、３０１、３０２、３０３で検出される光量を示した図である。
【０１３０】
受発光手段３００、３０１、３０２、３０３からは赤外線が常に照射されている。各受発光手段からの赤外線は、表示面１１の四辺にそれぞれ配置された４つの再帰性反射部材３２０、３３０、３４０、３４５で反射され、該受発光手段に戻ってくる。
【０１３１】
受発光手段からの赤外線の光路を非発光体２００で遮断すると、該受発光手段に赤外線が戻ってこず、図２１に示されるようにその部分のみ光量が減るため、受発光手段３００、３０１の受光光量から得られる角度θ１、θ２や、受発光手段３０２、３０３の受光光量から得られる角度θ３、θ４を用いて三角測量を行うことで、非発光体２００による入力位置の座標（Ｘ、Ｙ）を求めることができる。
【０１３２】
また、この例では、２つの受発光手段３００、３０１の受光光量や、２つの受発光手段３０３、３０４の受光光量に基づいて三角測量（入力位置の座標の計算）を行うこととしているが、これに代えて、２つの受発光手段３００、３０２の受光光量や、２つの受発光手段３０２、３０３の受光光量や、２つの受発光手段３０３、３０１の受光光量に基づいて三角測量（入力位置の座標の計算）を行うこととしても良い。
【０１３３】
また、上述した複数のペン形入力装置による入力位置の座標検出の場合と同様に、複数の非発光体２００が表示面１１に同時に接触もしくは近接しても、４つの受発光手段３００、３０１、３０２、３０３の受光光量から得られる角度θ１、θ２、θ３、θ４の少なくとも３つを用いることで、複数の非発光体２００による入力位置を正確に求めることが可能となる。
【０１３４】
以上説明した本実施形態の表示装置１は、開口部を有する筐体１０ａと、開口部を介して表示面１１が露出するように筐体１０ａに収容された、タッチパネル機能を有する表示部と、筐体１０ａに回動可能に設けられた、書込み可能な右側及び左側ホワイトボード部２０、３０（書き込み可能な２つの板状部材）と、を備えている。
【０１３５】
この場合、タッチパネル機能が動作していないときでも書込みを行うことができる。
【０１３６】
具体的には、表示装置１では、装置に電源を投入してからタッチパネル機能が動作可能になるまでにホワイトボード部に書込み可能であり、またタッチパネル機能に不具合（例えば動作不良）が生じてもホワイトボード部に書込み可能である。
【０１３７】
一方、特許文献１（特開２０００−１１８１９０号公報）には、黒板の防水の目的で、黒板に開閉式のカバー（回動可能なカバー）を取り付ける技術が開示されている。
【０１３８】
しかし、タッチパネル機能を有する表示装置に開閉式のカバーを取り付けても、該カバーに書き込みはできない。この場合、例えば表示装置に電源を投入してから書き込み可能になるまで（タッチパネル機能が動作可能になるまで）に時間を要し、またタッチパネル機能に不具合（例えば動作不良）が生じたときには書込みを行うことができない。すなわち、タッチパネル機能が動作していないときには書込みを行うことができない。
【０１３９】
また、各ホワイトボード部は、表示面１１の半分を覆う第１位置（閉じ位置）と該半分を露出させる第２位置（開き位置）との間で回動可能であり、表示装置１は、第２位置（開き位置）に位置する該ホワイトボード部を筐体１０ａに固定するための固定手段を更に備えている。
【０１４０】
この場合、開き位置に位置するホワイトボード部の書込み時の揺れが抑制され、安定した書込みを行うことが可能となる。
【０１４１】
また、固定手段は、ホワイトボード部が開き方向に回動され開き位置に到達したときに該ホワイトボード部を筐体１０ａに固定する。
【０１４２】
この場合、ホワイトボード部を開き位置へ回動させるだけで該ホワイトボード部を筐体１０ａに固定することができる。
【０１４３】
また、固定手段は、筐体１０ａ及びホワイトボード部の一方に設けられた第１係止部と、筐体１０ａ及びホワイトボード部の他方に設けられ該ホワイトボード部が開き位置に位置するときに第１係止部と係止する第２係止部と、を含む。
【０１４４】
特に、第１係止部が磁石１０２０を含み、第２係止部が、ホワイトボード部が開き位置に位置するときに磁石１０２０に接触する磁性部材１０３０を含む場合、該ホワイトボード部の筐体１０ａに対する固定や固定解除を簡単に行うことができる。
【０１４５】
また、第１係止部が面ファスナーのフック面を含み、第２係止部が、ホワイトボード部が開き位置に位置するときにフック面に接触する、面ファスナーのループ面を含む場合にも、該ホワイトボード部の筐体１０ａに対する固定や固定解除を簡単に行うことができる。
【０１４６】
また、第１及び第２係止部の一方が、開き位置を決めるホワイトボード部の最大開き角度を設定し、その設定を変更可能な最大開き角度設定手段を含む場合には、表示装置１の設置状況に応じてホワイトボード部の開き位置を変更できる。
【０１４７】
また、最大開き角度設定手段が、折り曲げ角度が異なる複数の折り曲げ部を有する取付金具１０１０を含む場合には、少なくとも取付金具１０１０の姿勢を変更することにより、最大開き角度を変更することができる。
【０１４８】
また、２つのホワイトボード部が、筐体１０ａの右側部の周りに回動可能であり、閉じ位置に位置するときに表示面１１の右半分を覆う右側ホワイトボード部２０と、筐体１０ａの左側部の周りに回動可能であり、閉じ位置に位置するときに表示面１１の左半分を覆う左側ホワイトボード部３０と、を含む場合には、右側及び左側ホワイトボード２０、３０を開き位置に位置させたときの装置全体のバランスを良好に保つことができる。
【０１４９】
以上の説明から明らかなように、本実施形態の表示装置１は、例えばプレゼンテーション、会議等において、ホワイトボード部に対して常時書込みが可能であるため、タッチパネル機能を有する表示部に対して書き込みができないときに特に有効である。また、表示装置１は、閉じ形態においてホワイトボード部のみに対して書き込み可能であり、開き形態において表示部及びホワイトボード部のいずれに対しても書き込み可能であり、非常に使い勝手が良い。
【０１５０】
なお、本発明の表示装置は、上記実施形態の表示装置１に限定されず、適宜変更可能である。
【０１５１】
例えば、表示装置は、開き形態においてホワイトボード部を筐体に固定する固定手段を有していなくても良い。この場合、表示装置は閉じ形態ではホワイトボード部の揺れが生じ難いので、タッチパネル機能を使用しないときや、タッチパネル機能が動作していないときは閉じ形態で用いることが好ましい。
【０１５２】
また、表示装置が固定手段を有していない場合は、ヒンジのトルクを大きくして、ホワイトボード部への書き込み時の揺れを抑制しても良い。但し、この場合、ホワイトボード部の開閉時に相当な力を要する。
【０１５３】
また、固定手段は、取付金具１０１０を有していなくても良い。この場合、最大開き角度を変更するための機構を設けても良い。但し、この場合、構成の煩雑化や、突き当て時の剛性が低下することが懸念される。
【０１５４】
また、表示装置は、閉じ形態においてホワイトボード部を筐体に固定する手段として、外付けのロック装置を用いても良い。
【０１５５】
また、表示装置は、閉じ形態においてホワイトボード部を筐体に固定する手段を有していなくても良い。
【０１５６】
また、表示装置のホワイトボード部の数は、２つに限らず、１つ又は３つ以上であっても良い。
【０１５７】
例えば、表示面の全域を覆う単一のホワイトボード部を用いても良いし、ホワイトボード部２０、３０の少なくとも一方を上下に複数分割し、分割された各ホワイトボード部を筐体に対して個別に回動可能としても良い。
【０１５８】
また、表示装置は、ホワイトボード部に代えて、黒板部を用いても良い。
【０１５９】
また、ホワイトボード部や黒板部は、ディスプレイ部１０の表示面１１とは反対側の面の（背面）少なくとも一部を覆う位置と該少なくとも一部を露出させる位置との間で回動可能に筐体１０ａに設けられても良い。この場合も、開き位置に位置するホワイトボード部を筐体に固定するための固定手段を有することが好ましい。
【０１６０】
また、ホワイトボード部や黒板部は、両面に書込み可能なものに限らず、片面のみに書込み可能なものであっても良い。すなわち、閉じ位置に位置するホワイトボード部の、表示面１１に対向する面のみを書込み可能な面としても良いし、該対向する面の反対側の面のみを書込み可能な面としても良い。
【０１６１】
また、上記実施形態において、ヒンジや固定手段の数は、ホワイトボード部の数、大きさ等に応じて、適宜変更可能である。
【０１６２】
また、取付金具１０１０は、固定手段の構成要素でなくても良い。
【０１６３】
また、上記実施形態の座標検出装置２４は、受発光手段を４つ有しているが、これに限らず、例えば以下に説明する変形例１、２のように、適宜変更可能である。以下の変形例の座標検出装置は、受発光手段の数が異なる点を除いて、上記実施形態の座標検出装置２４と実質的に同一の構成を有する。
【０１６４】
《変形例１》
例えば、図２２（Ａ）及び図２３（Ａ）に示される変形例１の座標検出装置２４´のように、２つの受発光手段３００、３０１のみを有していても良い。この場合、発光ペンによる入力位置の座標検出時に２つの受発光手段３００、３０１の受光光量から得られる角度θ１、θ２（図２２（Ｂ）参照）から発光ペンによる入力位置の座標を検出し、非発光体による入力位置の座標検出時に２つの受発光手段３００、３０１の受光光量から得られる角度θ１、θ２（図２３（Ｂ）参照）から非発光体による入力位置の座標を検出しても良い。
【０１６５】
《変形例２》
また、例えば、図２４（Ａ）及び図２５（Ａ）に示される変形例２の座標検出装置２４´´のように、３つの受発光手段３００、３０１、３０２のみを有していても良い。この場合、発光ペンによる入力位置の座標検出時に３つの受発光手段３００、３０１、３０２の受光光量から得られる角度θ１１、θ１２、θ２１、θ２２、θ３１、θ３２（図２４（Ｂ）参照）を用いて発光ペンによる入力を検知し、（θ１１、θ２１）、（θ１２、θ２２）から、該発光ペンによる入力位置の座標を検出しても良い。また、非発光体による入力位置の座標検出時に２つの受発光手段３００、３０１の受光光量から得られる角度θ１１、θ１２、θ２１、θ２２（図２５（Ｂ）参照）から非発光体による入力を検知し、（θ１１、θ２１）、（θ１２、θ２２）から、該非発光体による入力位置の座標を検出しても良い。
【０１６６】
また、図２６に示されるように、発光ペンと非発光体による入力が同時に有った場合でも、上記座標検出装置２４、２４´、２４´´を用いることにより、発光ペン及び非発光体の一方による入力位置の座標の検出が完了後、即座に他方による入力位置の座標を検出することができる。
【０１６７】
なお、上記実施形態及び各変形例では、受発光手段の発光部や発光ペンの発光素子から放射する光（無線信号）として赤外線を用いているが、これに限らず、他の波長帯の光（好ましくは不可視光）を用いても良い。この場合も、放射する光の波長を、発光部間や、発光部と発光素子の間で同一にすることが好ましい。
【０１６８】
また、上記実施形態及び各変形例では、制御部４００は、コントローラ６０とは別に設けられているが、コントローラの一部であっても良い。また、制御部４００を設けずに、コントローラ６０の一部（例えばコントローラオペレーティングシステム部２２０）が制御部４００の機能を担っても良い。
【０１６９】
以下に、発明者らが上記実施形態を発案するに至った思考プロセスを説明する。
【０１７０】
従来、電子ペン（描画装置）やユーザの指と画像表示部との接触や近接を検知する電子情報ボードシステム（電子黒板）が知られている。
【０１７１】
しかし、従来の電子情報ボードシステムでは、電源を入れてから書き込み可能になるまでに時間を要し、会議等ですぐに書き込みが必要な場合に書き込めないという問題がある。
【０１７２】
そこで、ホワイトボードをヒンジで開閉可能にディスプレイに取り付けることにより、この問題に対処できる。
【０１７３】
しかし、この場合には、下記の（１）〜（４）のような留意点がある。
（１）ホワイトボードへの書き込み時に、該ホワイトボードが所定の角度以上に開かないよう突き当て部（ストッパ）が必要である。
（２）突き当て部だけでは、書き込み時の電子ペンや指の押圧の反動により、ホワイトボードが揺れる。
（３）ヒンジ自体のトルクを上げると、揺れは収まるが、ホワイトボードの開閉動作自体も重くなり作業性が悪い。
（４）ホワイトボードを開き、突き当て部に突き当たったときのみ、ホワイトボードの閉動作を規制することが望まれる。
【０１７４】
また、ホワイトボードの開閉角度についても、下記の（５）〜（７）のような留意点がある。
（５）突き当て部の位置により、ホワイトボードの開き角度が決定する。
（６）ユーザの使用環境により、適切な開き角度は異なる。
（７）突き当て部の位置を可変にしたいが、可変機構を用いると、突き当て部の剛性が下がり、ホワイトボード書き込み時の揺れが増加することが懸念される。
【０１７５】
そこで、発明者らは、以上の問題を解決すべく、上記実施形態を発案するに至った。
【符号の説明】
【０１７６】
１…表示装置、１０ａ…筐体、１０ｂ…フラットパネル（表示部の一部）、１１…表示面、２０…右側ホワイトボード部（板状部材）、２４…座標検出装置（表示部の一部）、３０…左側ホワイトボード部（板状部材）、１０００Ａ、１０００Ｂ…右側固定手段（固定手段）、２０００Ａ、２０００…左側固定手段（固定手段）、１０１０…取付金具（複数の折り曲げ部を有する部材）、１０２０…磁石（固定手段の一部）、１０３０…磁性部材（固定手段の一部）。
【先行技術文献】
【特許文献】
【０１７７】
【特許文献１】特開２０００−１１８１９０号公報
【図１】
0006675582.tif 000002
【図２】
0006675582.tif 000003
【図３】
0006675582.tif 000004
【図４】
0006675582.tif 000005
【図５】
0006675582.tif 000006
【図６】
0006675582.tif 000007
【図７】
0006675582.tif 000008
【図８】
0006675582.tif 000009
【図９】
0006675582.tif 000010
【図１０】
0006675582.tif 000011
【図１１】
0006675582.tif 000012
【図１２】
0006675582.tif 000013
【図１３】
0006675582.tif 000014
【図１４】
0006675582.tif 000015
【図１５】
0006675582.tif 000016
【図１６】
0006675582.tif 000017
【図１７】
0006675582.tif 000018
【図１８】
0006675582.tif 000019
【図１９】
0006675582.tif 000020
【図２０】
0006675582.tif 000021
【図２１】
0006675582.tif 000022
【図２２】
0006675582.tif 000023
【図２３】
0006675582.tif 000024
【図２４】
0006675582.tif 000025
【図２５】
0006675582.tif 000026
【図２６】
0006675582.tif 000027